(57)【特許請求の範囲】
【請求項１】
輝度信号が入力される入力手段と、
前記入力手段に入力された１フレーム分の輝度信号に対して、各輝度レベルのヒストグラムデータを取得する取得手段と、
前記取得手段で取得された各輝度レベルのヒストグラムデータのうち所定値よりも大きいヒストグラムデータを、各輝度レベルに対応して予め設定された輝度レベルの範囲に度数分散させ、その分散度数を前記取得手段で取得された各輝度レベルのヒストグラムデータに加算して補正されたヒストグラムデータを得る度数分散手段と、
前記度数分散手段で補正されたヒストグラムデータに基づいて、前記入力手段に入力された輝度信号に非線形補正処理を施すための非線形補正処理用テーブルを作成する作成手段と、
前記作成手段で作成された非線形補正処理用テーブルに基づいて、前記入力手段に入力された輝度信号に非線形補正処理を施す処理手段とを具備することを特徴とする映像信号処理装置。
【請求項２】
前記度数分散手段は、
前記取得手段で取得された各輝度レベルのヒストグラムデータから、各輝度レベルに対応して予め設定された閾値を減算する減算手段と、
前記減算手段から得られた各減算値に、各輝度レベルに対応して予め設定された重み付け係数を乗算する乗算手段と、
前記乗算手段から得られた各乗算値を、各輝度レベルに対応して予め設定された輝度レベルの範囲に度数分散させる分散手段と、
前記分散手段から得られた各分散度数を、前記取得手段で取得された各輝度レベルのヒストグラムデータに加算する加算手段とを具備することを特徴とする請求項１記載の映像信号処理装置。
【請求項３】
前記減算手段は、減算結果が負になる場合、０を出力することを特徴とする請求項２記載の映像信号処理装置。
【請求項４】
前記分散手段は、各輝度レベルに対応して予め設定された度数分散開始値と度数分散終了値とで指示されるに輝度レベルの範囲内に、前記乗算手段から得られた各乗算値を度数分散させることを特徴とする請求項２または３記載の映像信号処理装置。
【請求項５】
前記分散手段は、輝度レベル（ｉ）に対応する前記乗算手段の乗算値をＤsub２（ｉ）、度数分散開始値をＷｓ（ｉ）、度数分散終了値をＷｅ（ｉ）とした場合、
Ｄsub２（ｉ）／［Ｗｅ（ｉ）−Ｗｓ（ｉ）＋１］
を分散度数とすることを特徴とする請求項４記載の映像信号処理装置。
【請求項６】
前記分散手段は、低い輝度レベルに対して度数分散させる輝度レベルの範囲を輝度の高い方に設定し、高い輝度レベルに対して度数分散させる輝度レベルの範囲を輝度の低い方に設定することを特徴とする請求項２乃至５いずれかに記載の映像信号処理装置。
【請求項７】
輝度信号を入力する第１の工程と、
前記第１の工程で入力された１フレーム分の輝度信号に対して、各輝度レベルのヒストグラムデータを取得する第２の工程と、
前記第２の工程で取得された各輝度レベルのヒストグラムデータのうち所定値よりも大きいヒストグラムデータを、各輝度レベルに対応して予め設定された輝度レベルの範囲に度数分散させ、その分散度数を前記第２の工程で取得された各輝度レベルのヒストグラムデータに加算して補正されたヒストグラムデータを得る第３の工程と、
前記第３の工程で補正されたヒストグラムデータに基づいて、前記第１の工程で入力された輝度信号に非線形補正処理を施すための非線形補正処理用テーブルを作成する第４の工程と、
前記第４の工程で作成された非線形補正処理用テーブルに基づいて、前記第１の工程で入力された輝度信号に非線形補正処理を施す第５の工程とを具備することを特徴とする映像信号処理方法。
【請求項８】
前記第３の工程は、
前記第２の工程で取得された各輝度レベルのヒストグラムデータから、各輝度レベルに対応して予め設定された閾値を減算する減算工程と、
前記減算工程で得られた各減算値に、各輝度レベルに対応して予め設定された重み付け係数を乗算する乗算工程と、
前記乗算工程で得られた各乗算値を、各輝度レベルに対応して予め設定された輝度レベルの範囲に度数分散させる分散工程と、
前記分散工程で得られた各分散度数を、前記第２の工程で取得された各輝度レベルのヒストグラムデータに加算する加算工程とを具備することを特徴とする請求項７記載の映像信号処理方法。
【発明の詳細な説明】
【技術分野】
【０００１】
この発明は、輝度のヒストグラムに基づいて輝度信号に階調補正処理を施す映像信号処理装置及び映像信号処理方法の改良に関する。
【背景技術】
【０００２】
周知のように、近年では、フラットパネル型の大画面ディスプレイが開発され、カラーテレビジョン放送受信装置等に実用化されている。ところで、この種の大画面ディスプレイでは、表示映像を鮮明に見せるために、映像信号の輝度成分に対して階調補正処理を施すことが行なわれている。
【０００３】
特に、現状における輝度のヒストグラムを用いた基本的な階調補正処理においては、各輝度レベルで取得したヒストグラムデータを、下位の輝度レベルから累積加算することにより輝度入出力変換パラメータの作成を行なっている。
【０００４】
しかしながら、このような階調補正処理では、特定の輝度レベルに局所的に情報が集中した場合、集中した部分の輝度傾斜が過剰に急峻になり、逆に、情報のない部分では輝度傾斜がほとんどなくなってしまうことがある。
【０００５】
これに対し、現在では、取得したヒストグラムデータに対して、上限と下限とでそれぞれ制限値を設定することにより対処しているが、単純な切捨て水増し処理であるために、本来の情報に対しては効果が薄くなる傾向がある。
【０００６】
特許文献１には、特定の輝度レベルに局所的にヒストグラムデータが集中した場合、その集中したヒストグラムデータを特定の輝度レベルの周囲に分散させるようにした構成が開示されている。
【０００７】
しかしながら、この特許文献１では、集中したヒストグラムデータを特定の輝度レベルの周囲に分散させる際、明るさについては考慮していないため、表示映像に入力映像と一致しない明るさ変動が生じるという問題がある。
【特許文献１】米国特許第６１４８１０３号明細書
【発明の開示】
【発明が解決しようとする課題】
【０００８】
そこで、この発明は上記事情を考慮してなされたもので、局所的にヒストグラムデータが集中した輝度レベルについての微分利得を抑え、しかも、視覚的に比重の大きい表示部分の明るさ変動を抑制可能として、実用に適した輝度制御を行ない得る映像信号処理装置及び映像信号処理方法を提供することを目的とする。
【課題を解決するための手段】
【０００９】
この発明の実施の形態に係る映像信号処理装置は、輝度信号が入力される入力手段と、入力手段に入力された１フレーム分の輝度信号に対して、各輝度レベルのヒストグラムデータを取得する取得手段と、取得手段で取得された各輝度レベルのヒストグラムデータのうち所定値よりも大きいヒストグラムデータを、各輝度レベルに対応して予め設定された輝度レベルの範囲に度数分散させ、その分散度数を取得手段で取得された各輝度レベルのヒストグラムデータに加算して補正されたヒストグラムデータを得る度数分散手段と、度数分散手段で補正されたヒストグラムデータに基づいて、入力手段に入力された輝度信号に非線形補正処理を施すための非線形補正処理用テーブルを作成する作成手段と、作成手段で作成された非線形補正処理用テーブルに基づいて、入力手段に入力された輝度信号に非線形補正処理を施す処理手段とを備えるようにしたものである。
【００１０】
また、この発明の実施の形態に係る映像信号処理方法は、輝度信号を入力する第１の工程と、第１の工程で入力された１フレーム分の輝度信号に対して、各輝度レベルのヒストグラムデータを取得する第２の工程と、第２の工程で取得された各輝度レベルのヒストグラムデータのうち所定値よりも大きいヒストグラムデータを、各輝度レベルに対応して予め設定された輝度レベルの範囲に度数分散させ、その分散度数を第２の工程で取得された各輝度レベルのヒストグラムデータに加算して補正されたヒストグラムデータを得る第３の工程と、第３の工程で補正されたヒストグラムデータに基づいて、第１の工程で入力された輝度信号に非線形補正処理を施すための非線形補正処理用テーブルを作成する第４の工程と、第４の工程で作成された非線形補正処理用テーブルに基づいて、第１の工程で入力された輝度信号に非線形補正処理を施す第５の工程とを備えるようにしたものである。
【発明の効果】
【００１１】
上記した構成及び方法によれば、各輝度レベルのヒストグラムデータに対して、それぞれ予め設定された輝度レベル範囲内で度数分散処理を行なうようにしたので、局所的にヒストグラムデータが集中した輝度レベルについての微分利得を抑え、しかも、視覚的に比重の大きい表示部分の明るさ変動を抑制可能として、実用に適した輝度制御を行なうことができる。
【発明を実施するための最良の形態】
【００１２】
以下、この発明の実施の形態について図面を参照して詳細に説明する。図１は、この実施の形態で説明するテレビジョン放送受信装置１１の映像信号処理系を概略的に示している。
【００１３】
すなわち、デジタルテレビジョン放送受信用のアンテナ１２で受信したデジタルテレビジョン放送信号は、入力端子１３を介して選局復調部１４に供給される。この選局復調部１４は、入力されたデジタルテレビジョン放送信号から所望のチャンネルの放送信号を選局し、その選局された信号を復調してデコーダ１５に出力している。
【００１４】
そして、このデコーダ１５は、選局復調部１４から入力された信号にデコード処理を施すことにより、デジタルの輝度信号Ｙ及び色信号Ｃｂ／Ｃｒをそれぞれ生成して、セレクタ１６に出力している。
【００１５】
また、アナログテレビジョン放送受信用のアンテナ１７で受信したアナログテレビジョン放送信号は、入力端子１８を介して選局復調部１９に供給される。この選局復調部１９では、入力されたアナログテレビジョン放送信号から所望のチャンネルの放送信号を選局し、その選局された信号を復調してアナログの輝度信号Ｙ及び色信号Ｃｂ／Ｃｒをそれぞれ生成している。
【００１６】
そして、この選局復調部１９で生成されたアナログの輝度信号Ｙ及び色信号Ｃｂ／Ｃｒは、Ａ／Ｄ（analog／digital）変換部２０に供給されてデジタルの輝度信号Ｙ及び色信号Ｃｂ／Ｃｒに変換された後、上記セレクタ１６に出力される。
【００１７】
また、アナログ映像信号用の外部入力端子２１に供給されたアナログの輝度信号Ｙ及び色信号Ｃｂ／Ｃｒは、Ａ／Ｄ変換部２２に供給されてデジタルの輝度信号Ｙ及び色信号Ｃｂ／Ｃｒに変換された後、上記セレクタ１６に出力される。さらに、デジタル映像信号用の外部入力端子２３に供給されたデジタルの輝度信号Ｙ及び色信号Ｃｂ／Ｃｒは、そのまま上記セレクタ１６に供給される。
【００１８】
ここで、このセレクタ１６は、デコーダ１５、Ａ／Ｄ変換部２０，２２及び外部入力端子２３からそれぞれ供給されるデジタルの輝度信号Ｙ及び色信号Ｃｂ／Ｃｒから１つを選択して、映像信号処理部２４に供給している。
【００１９】
この映像信号処理部２４は、詳細は後述するが、入力されたデジタルの輝度信号Ｙ及び色信号Ｃｂ／Ｃｒに対して所定の信号処理を施すことにより、Ｒ（red），Ｇ（green），Ｂ（blue）信号を生成している。
【００２０】
そして、この映像信号処理部２４で生成されたＲ，Ｇ，Ｂ信号が、映像表示部２５に供給されて映像表示に供される。なお、この映像表示部２５としては、例えば、液晶ディスプレイやプラズマディスプレイ等でなるフラットパネルディスプレイが採用される。
【００２１】
ここで、このテレビジョン放送受信装置１１は、上記した各種の受信動作を含む種々の動作を制御部２６によって統括的に制御されている。この制御部２６は、ＣＰＵ（central processing unit）等を内蔵したマイクロプロセッサであり、図示しないリモートコントローラを含む操作部２７からの操作情報を受けて、その操作内容が反映されるように各部をそれぞれ制御している。
【００２２】
この場合、制御部２６は、主として、そのＣＰＵが実行する制御プログラムを格納したＲＯＭ（read only memory）２８と、該ＣＰＵに作業エリアを提供するためのＲＡＭ（random access memory）２９と、各種の設定情報及び制御情報等が格納される不揮発性メモリ３０とを利用している。
【００２３】
図２は、上記映像信号処理部２４の一例を示している。すなわち、上記セレクタ１６で選択されたデジタルの輝度信号Ｙ及び色信号Ｃｂ／Ｃｒは、入力端子３１ａ，３１ｂを介してＩＰ（interlace progressive）変換・スケーリング処理部３２に供給される。
【００２４】
このＩＰ変換・スケーリング処理部３２は、入力された輝度信号Ｙ及び色信号Ｃｂ／Ｃｒに対して、映像表示部２５（液晶ディスプレイやプラズマディスプレイ等でなるフラットパネルディスプレイ）で表示を行なうためにプログレッシブ変換処理及びスケーリング処理を施して、エンハンサ処理部３３に出力している。
【００２５】
このエンハンサ処理部３３は、入力された輝度信号Ｙ及び色信号Ｃｂ／Ｃｒに対して、垂直及び水平方向の立ち上がりを急峻にしたり、または、シャープネスを変えたりするエンハンサ処理を施して、信号補正部３４に出力している。
【００２６】
この信号補正部３４は、入力された輝度信号Ｙに対して階調補正のための非線形補正処理を施すとともに、その非線形補正処理に伴なって色信号Ｃｂ／Ｃｒに振幅制御処理を施し、色空間変換部３５に出力している。
【００２７】
この色空間変換部３５は、入力された輝度信号Ｙ及び色信号Ｃｂ／ＣｒをＲ，Ｇ，Ｂ信号に変換し、ＲＧＢガンマ補正部３６に出力している。このＲＧＢガンマ補正部３６は、入力されたＲ，Ｇ，Ｂ信号に対して、ホワイトバランス調整を施すとともに、上記映像表示部２５に対するガンマ補正処理を施し、ディザ処理部３７に出力している。
【００２８】
そして、このディザ処理部３７が、入力されたＲ，Ｇ，Ｂ信号に対して、表現力を増すためにビット数の拡張された高階調のビット表現を、映像表示部２５に対応した低階調のビット数に変換する圧縮処理を施した後、出力端子３８，３９，４０を介して映像表示部２５に出力している。
【００２９】
図３は、上記信号補正部３４の一例を示している。すなわち、上記エンハンサ処理部３３から出力された輝度信号Ｙは、入力端子４１を介して輝度非線形補正処理部４２に供給されて階調補正のための非線形補正処理が施された後、出力端子４３を介して上記色空間変換部３５に出力される。
【００３０】
ここで、輝度非線形補正処理部４２は、詳細は後述するが、上記制御部２６から制御端子４４を介して供給される制御データに基づいて、輝度非線形補正処理用のＬＵＴ（look up table）を作成し、そのＬＵＴに基づいて輝度信号Ｙに非線形補正処理を施している。
【００３１】
また、上記エンハンサ処理部３３から出力された色信号Ｃｂ／Ｃｒは、入力端子４５を介して乗算器４６に供給され、色信号補正部４７から出力される色補正信号が乗算されることにより振幅制御処理が施された後、出力端子４８を介して上記色空間変換部３５に出力される。
【００３２】
この色信号補正部４７は、制御部２６から制御端子４９を介して供給される色補正処理用のＬＵＴから、入力端子４１に供給された輝度信号Ｙのレベルに基づいて、色信号Ｃｂ／Ｃｒに対する振幅制御を行なうための色ゲインとなる色補正信号を検索し、乗算器４６に出力している。
【００３３】
図４は、上記輝度非線形補正処理部４２の詳細を示している。すなわち、上記入力端子４１に供給された輝度信号Ｙは、入力端子４２ａを介した後、非線形補正処理部４２ｂに供給されるとともに、ヒストグラムデータ取得部４２ｃに供給される。このうち、ヒストグラムデータ取得部４２ｃは、入力された１フレーム分の輝度信号に対して、各輝度レベルのヒストグラムデータを取得する。
【００３４】
そして、このヒストグラムデータ取得部４２ｃで取得されたヒストグラムデータは、度数分散処理部４２ｄに供給される。この度数分散処理部４２ｄは、詳細は後述するが、入力されたヒストグラムデータに対し、上記制御部２６から制御端子４４，４２ｅを介して供給される制御データに基づいて度数分散処理を施し、ＬＵＴ作成部４２ｆに出力している。
【００３５】
このＬＵＴ作成部４２ｆは、度数分散処理部４２ｄから出力された度数分散処理後のヒストグラムデータに基づいて輝度非線形補正処理用のＬＵＴを作成し、上記非線形補正処理部４２ｂに出力している。そして、この非線形補正処理部４２ｂが、入力された輝度信号に対してＬＵＴに基づいた非線形補正処理を施し、出力端子４２ｇ，４３を介して上記色空間変換部３５に出力している。
【００３６】
図５は、上記輝度非線形補正処理部４２が輝度信号Ｙに施す非線形補正処理動作の一列をまとめたフローチャートを示している。すなわち、処理が開始（ステップＳ１）されると、ヒストグラムデータ取得部４２ｃは、ステップＳ２で、各輝度レベル１〜ｎについてそれぞれヒストグラムデータＤＩＮ（１）〜ＤＩＮ（ｎ）を取得する。
【００３７】
このヒストグラムデータの取得は、輝度レベルのダイナミットレンジをｎ分割し、１フレーム分の映像信号に対して、各輝度レベル１〜ｎに対応している画素数をカウントすることにより行なわれる。この場合、輝度レベル１〜ｎの分解能は十分に細かく設定されるものとする。例えば、入力映像信号が８ビットである場合は、ヒストグラムデータを取得する際の輝度レベルの分解能も８ビットとする。
【００３８】
図６は、上記のようにして取得された１フレーム分の輝度のヒストグラムデータの一例を示している。この場合、輝度レベルの分解能は、８ビット（０〜２５５）としている。すなわち、０〜２５５までの２５６個の各輝度レベルに対して、それぞれ対応している画素の数が取得されている。このため、各輝度レベルにおける画素数を全て加算すると、その合計は、入力映像信号が持つ１フレーム分の画素数と同じになる。
【００３９】
その後、度数分散処理部４２ｄは、取得したヒストグラムデータＤＩＮ（１）〜ＤＩＮ（ｎ）に対して、制御部２６から供給される制御データに基づいて度数分散処理を実行する。
【００４０】
まず、度数分散処理部４２ｄは、ステップＳ３で、各輝度レベル１〜ｎのヒストグラムデータＤＩＮ（１）〜ＤＩＮ（ｎ）に対して、それぞれ度数分散を行なうための閾値Ｄｂ（１）〜Ｄｂ（ｎ）を取得する。
【００４１】
この閾値Ｄｂ（１）〜Ｄｂ（ｎ）は、各輝度レベル１〜ｎに対して予め任意に設定され、上記不揮発性メモリ３０に格納されている。そして、必要に応じて上記制御部２６によって読み出され、制御データの一部として、制御端子４４，４２ｅを介して度数分散処理部４２ｄに供給される。
【００４２】
次に、度数分散処理部４２ｄは、ステップＳ４で、各輝度レベル１〜ｎでの分散させる度数に対する重み付け係数Ｇｌｃ（１）〜Ｇｌｃ（ｎ）を取得する。この重み付け係数Ｇｌｃ（１）〜Ｇｌｃ（ｎ）も、各輝度レベル１〜ｎに対して予め任意に設定され、上記不揮発性メモリ３０に格納されている。そして、必要に応じて上記制御部２６によって読み出され、制御データの一部として、制御端子４４，４２ｅを介して度数分散処理部４２ｄに供給される。
【００４３】
その後、度数分散処理部４２ｄは、ステップＳ５で、ヒストグラムデータＤＩＮ（ｉ）［ｉ＝１〜ｎ］から閾値Ｄｂ（ｉ）を減算して、つまり、
Ｄsub１（ｉ）＝ＤＩＮ（ｉ）−Ｄｂ（ｉ）
なる演算を行なって減算値Ｄsub１（ｉ）を算出する。なお、減算結果が負になった場合には、Ｄsub１（ｉ）を０とする。
【００４４】
そして、度数分散処理部４２ｄは、ステップＳ６で、減算値Ｄsub１（ｉ）に重み付け係数Ｇｌｃ（ｉ）を乗算して、つまり、
Ｄsub２（ｉ）＝Ｄsub１（ｉ）×Ｇｌｃ（ｉ）
なる演算を行なって、乗算値Ｄsub２（ｉ）を算出する。このステップＳ５及びＳ６による演算処理は、各輝度レベル１〜ｎに対してそれぞれ行なわれる。
【００４５】
次に、度数分散処理部４２ｄは、ステップＳ７で、上記乗算値Ｄsub２（ｉ）をヒストグラム補正分として分散させる範囲を指定する。すなわち、度数分散処理部４２ｄは、度数分散展開スタート値Ｗｓ（ｉ）と、度数分散展開エンド値Ｗｅ（ｉ）とを取得する。これら度数分散展開スタート値Ｗｓ（ｉ）及び度数分散展開エンド値Ｗｅ（ｉ）も、各輝度レベル１〜ｎに対して予め任意に設定され、上記不揮発性メモリ３０に格納されている。そして、必要に応じて上記制御部２６によって読み出され、制御データの一部として、制御端子４４，４２ｅを介して度数分散処理部４２ｄに供給される。なお、Ｗｅ（ｉ）＞Ｗｓ（ｉ）となるように設定されている。また、この実施の形態では、ヒストグラム補正後も入力と同じｎ分割のヒストグラムとしているため、Ｗｓ（ｉ）及びＷｅ（ｉ）は１〜ｎの値をとる。
【００４６】
その後、度数分散処理部４２ｄは、ステップＳ８で、度数分散処理を実行し、計算結果をＤsp（ｉ，ｊ）（ｉ，ｊは共に１〜ｎ）に格納する。すなわち、度数分散処理部４２ｄは、
Ｄsp（ｉ，ｊ）＝Ｄsub２（ｉ）／［Ｗｅ（ｉ）−Ｗｓ（ｉ）＋１］
なる演算を行なって、その演算結果をｊ（１〜ｎ）＝Ｗｓ（ｉ）〜Ｗｅ（ｉ）となるＤsp（ｉ，ｊ）に格納し、ｊ≠Ｗｓ（ｉ）〜Ｗｅ（ｉ）となるＤsp（ｉ，ｊ）には０を格納する。また、Ｄsub２（ｉ）＝０の場合には、ｊ＝１〜ｎの全ての範囲で０を格納する。このステップＳ８による演算処理は、各輝度レベル１〜ｎに対してそれぞれ行なわれる。
【００４７】
ここで、図７及び図８は、それぞれ、上記した度数分散処理をヒストグラムデータの特性図上で示している。まず、図７（ａ）に示すように、低い輝度レベルｎ１に対して大きいヒストグラムデータＤＩＮ（ｎ１）があった場合、そのヒストグラムデータＤＩＮ（ｎ１）から輝度レベルｎ１に対応する閾値Ｄｂ（ｎ１）が減算されて減算値Ｄsub１（ｎ１）が得られる。
【００４８】
その後、図７（ｂ）に示すように、減算値Ｄsub１（ｎ１）に輝度レベルｎ１に対応する重み付け係数Ｇｌｃ（ｎ１）が乗算され、その乗算値Ｄsub２（ｎ１）を［Ｗｅ（ｎ１）−Ｗｓ（ｎ１）＋１］で除算した度数が、輝度レベルｎ１に対応する度数分散展開スタート値Ｗｓ（ｎ１）から度数分散展開エンド値Ｗｅ（ｎ１）の範囲に分散される。この場合、輝度レベルｎ１に対応するＷｓ（ｎ１）〜Ｗｅ（ｎ１）は、輝度レベルの高い範囲に設定されているので、輝度の高い方の度数が増えることになるため、本来の輝度レベルｎ１の表示部分を暗くすることができる。
【００４９】
また、図８（ａ）に示すように、高い輝度レベルｎ２に対して大きいヒストグラムデータＤＩＮ（ｎ２）があった場合、そのヒストグラムデータＤＩＮ（ｎ２）から輝度レベルｎ２に対応する閾値Ｄｂ（ｎ２）が減算されて減算値Ｄsub１（ｎ２）が得られる。
【００５０】
その後、図８（ｂ）に示すように、減算値Ｄsub１（ｎ２）に輝度レベルｎ２に対応する重み付け係数Ｇｌｃ（ｎ２）が乗算され、その乗算値Ｄsub２（ｎ２）を［Ｗｅ（ｎ２）−Ｗｓ（ｎ２）＋１］で除算した度数が、輝度レベルｎ２に対応する度数分散展開スタート値Ｗｓ（ｎ２）から度数分散展開エンド値Ｗｅ（ｎ２）の範囲に分散される。この場合、輝度レベルｎ２に対応するＷｓ（ｎ２）〜Ｗｅ（ｎ２）は、輝度レベルの低い範囲に設定されているので、輝度の低い方の度数が増えることになるため、本来の輝度レベルｎ２の表示部分を明るくすることができる。
【００５１】
次に、度数分散処理部４２ｄは、ステップＳ９で、度数分散処理の演算結果から、Ｄsp（１，ｊ）〜Ｄsp（ｎ，ｊ）の全ての値を加算し、その加算値をＤt１（ｊ）に格納する。このステップＳ９による演算処理も、輝度の各レベル（ｊ＝１〜ｎ）でそれぞれ行なわれる。
【００５２】
その後、度数分散処理部４２ｄは、ステップＳ１０で、最初に取得したヒストグラムデータＤＩＮ（ｉ）に加算値Ｄt１（ｉ）を加算して加算値Ｄt2（ｉ）を得る。そして、度数分散処理部４２ｄは、ステップＳ１１で、加算値Ｄt2（１）〜Ｄt2（ｎ）を補正されたヒストグラムデータとして出力する。
【００５３】
すると、上記ＬＵＴ作成部４２ｆは、ステップＳ１２で、補正されたヒストグラムデータを下位の輝度レベルから累積加算することにより輝度入出力変換パラメータ、つまり、輝度非線形補正処理用のＬＵＴを作成する。そして、線形補正処理部４２ｂが、ステップＳ１３で、ＬＵＴに基づいて輝度信号Ｙに非線形補正処理を施し、処理を終了（ステップＳ１４）する。図９は、輝度非線形補正処理用のＬＵＴによって輝度信号Ｙに与えられる非線形特性の一例を示している。
【００５４】
上記した実施の形態によれば、各輝度レベルのヒストグラムデータに対して、それぞれ任意に設定可能な輝度レベル範囲内で度数分散処理を行なうようにしたので、局所的にヒストグラムデータが集中した輝度レベルについての微分利得を抑え、しかも、視覚的に比重の大きい表示部分の明るさ変動を抑制可能として、実用に適した輝度制御を行なうことができる。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５６】
【図１】この発明の実施の形態を示すもので、テレビジョン放送受信装置の映像信号処理系を説明するために示すブロック構成図。
【図２】同実施の形態におけるテレビジョン放送受信装置の映像信号処理部の詳細を説明するために示すブロック構成図。
【図３】同実施の形態における映像信号処理部の信号補正部の詳細を説明するために示すブロック構成図。
【図４】同実施の形態における信号補正部の輝度非線形補正処理部の詳細を説明するために示すブロック構成図。
【図５】同実施の形態における輝度非線形補正処理部の処理動作を説明するために示すフローチャート。
【図６】同実施の形態における輝度非線形補正処理部が取得する１フレーム分のヒストグラムデータを説明するために示す図。
【図７】同実施の形態における輝度非線形補正処理部の度数変換処理動作の一例を説明するために示す図。
【図８】同実施の形態における輝度非線形補正処理部の度数変換処理動作の他の例を説明するために示す図。
【図９】同実施の形態における輝度非線形補正処理部によって行なわれる輝度非線形補正処理を説明するために示す図。
【符号の説明】
【００５７】
１１…テレビジョン放送受信装置、１２…アンテナ、１３…入力端子、１４…選局復調部、１５…デコーダ、１６…セレクタ、１７…アンテナ、１８…入力端子、１９…選局復調部、２０…Ａ／Ｄ変換部、２１…外部入力端子、２２…Ａ／Ｄ変換部、２３…外部入力端子、２４…映像信号処理部、２５…映像表示部、２６…制御部、２７…操作部、２８…ＲＯＭ、２９…ＲＡＭ、３０…不揮発性メモリ、３１ａ，３１ｂ…入力端子、３２…ＩＰ変換・スケーリング処理部、３３…エンハンサ処理部、３４…信号補正部、３５…色空間変換部、３６…ＲＧＢガンマ補正部、３７…ディザ処理部、３８〜４０…出力端子、４１…入力端子、４２…輝度非線形補正処理部、４３…出力端子、４４…制御端子、４５…入力端子、４６…乗算器、４７…色信号補正部、４８…出力端子、４９…制御端子。
【図１】
0004504284.tif 000002
【図２】
0004504284.tif 000003
【図３】
0004504284.tif 000004
【図４】
0004504284.tif 000005
【図５】
0004504284.tif 000006
【図６】
0004504284.tif 000007
【図７】
0004504284.tif 000008
【図８】
0004504284.tif 000009
【図９】
0004504284.tif 000010